(57)【特許請求の範囲】
【請求項１】
カーテンを吊るすランナーが走行する第１のレール溝を有する第１のレール部と、
前記第１のレール部に固定されており、洗濯物を干すための物干部と、を備え、
前記第１のレール部と前記物干部とは、一体成形されており、
前記物干部は、ハンガーを掛けられる第１のフックと、前記第１のフックと一体に設けられた、ハンガーを掛けられる第２のフックと、物干し用の棒又は紐を通せる孔とを有することを特徴とするカーテンレール。
【請求項２】
請求項１に記載のカーテンレールにおいて、
前記物干部は、平面視で、前記第１のレール部の前記第１のレール溝に重ならない位置に設けられているカーテンレール。
【請求項３】
請求項１又は２に記載のカーテンレールにおいて、
カーテンを吊るすランナーが走行する第２のレール溝を有し、前記第１のレール部と平行に延びる第２のレール部を備えるカーテンレール。
【請求項４】
請求項３に記載のカーテンレールにおいて、
前記第１のレール部と前記第２のレール部とは、一体成形されているカーテンレール。
【請求項５】
請求項４に記載のカーテンレールにおいて、
前記第１及び第２のレール部と前記物干部とは、一体成形されているカーテンレール。
【請求項６】
請求項３乃至５の何れかに記載のカーテンレールにおいて、
前記物干部は、平面視で、前記第２のレール部の前記第２のレール溝に重ならない位置に設けられているカーテンレール。
【請求項７】
請求項３乃至６の何れかに記載のカーテンレールにおいて、
前記物干部は、平面視で、前記第１のレール部の前記第１のレール溝と前記第２のレール部の前記第２のレール溝との間に設けられているカーテンレール。
【請求項８】
請求項１乃至７の何れかに記載のカーテンレールにおいて、
前記第１のフックの根元及び先端は、前記第１のレール部の延在方向に垂直な同一平面内に存在するカーテンレール。
【請求項９】
請求項１乃至８の何れかに記載のカーテンレールにおいて、
前記第２のフックの根元及び先端は、前記第１のレール部の延在方向に垂直な同一平面内に存在するカーテンレール。
【請求項１０】
請求項１乃至９の何れかに記載のカーテンレールにおいて、
複数の前記物干部を備え、
前記複数の物干部は、前記第１のレール部の延在方向に沿って相異なる位置に設けられているカーテンレール。
【請求項１１】
請求項１乃至１０の何れかに記載のカーテンレールにおいて、
前記孔の深さ方向は、前記第１のレール部の延在方向に一致するカーテンレール。
【請求項１２】
請求項１乃至１１の何れかに記載のカーテンレールにおいて、
前記物干部は、
物干し用の第１の紐の一端を固定するとともに当該第１の紐を収納可能な第１の紐収納部と、
前記第１の紐収納部と離間しており、当該第１の紐収納部から引き出された前記第１の紐の他端を固定する紐受部と、を含むカーテンレール。
【請求項１３】
請求項１２に記載のカーテンレールにおいて、
前記第１の紐収納部と前記紐受部とは、前記第１のレール部の延在方向に沿って相異なる位置に設けられているカーテンレール。
【請求項１４】
請求項１２又は１３に記載のカーテンレールにおいて、
前記第１の紐収納部は、当該第１の紐収納部から引き出された前記第１の紐を自動的に巻き取る機構を有するカーテンレール。
【請求項１５】
請求項１２乃至１４の何れかに記載のカーテンレールにおいて、
前記物干部は、
物干し用の第２の紐の一端を固定するとともに当該第２の紐を収納可能な第２の紐収納部を含み、
前記紐受部は、前記第１の紐の前記他端に加えて、前記第２の紐収納部から引き出された前記第２の紐の他端も固定するカーテンレール。
【請求項１６】
請求項１５に記載のカーテンレールにおいて、
前記第２の紐収納部と前記紐受部とは、前記第１のレール部の延在方向に沿って相異なる位置に設けられているカーテンレール。
【請求項１７】
請求項１５又は１６に記載のカーテンレールにおいて、
前記紐受部は、前記第１の紐収納部と前記第２の紐収納部との間に設けられているカーテンレール。
【請求項１８】
請求項１５乃至１７の何れかに記載のカーテンレールにおいて、
前記第２の紐収納部は、当該第２の紐収納部から引き出された前記第２の紐を自動的に巻き取る機構を有するカーテンレール。
【発明の詳細な説明】
【技術分野】
【０００１】
本発明は、カーテンレールに関する。
【背景技術】
【０００２】
従来のカーテンレールとしては、例えば特許文献１に記載されたものがある。同文献に記載されたカーテンレールは、レール部と、カーテンを吊るすランナーとを備えている。レール部の下面には、レール部の延在方向に延びるレール溝が形成されている。レール溝に沿ってランナーが滑走することにより、カーテンを開閉することができる。
【先行技術文献】
【特許文献】
【０００３】
【特許文献１】特開２００４−１６００３６号公報
【発明の概要】
【発明が解決しようとする課題】
【０００４】
ところで、洗濯物を室内で干す場合、陽光が差し込む窓際に洗濯物を吊り下げることにより、洗濯物を効率良く乾かすことができる。この点、窓際には、通常、カーテンレールが設置されている。それゆえ、カーテンレールを用いて洗濯物を干すことができれば、好都合である。しかしながら、従来のカーテンレールは、構造上、洗濯物を干すのに適していなかった。
【０００５】
本発明は、上記課題に鑑みてなされたものであり、洗濯物を干すのに適した構造のカーテンレールを提供することを目的とする。
【課題を解決するための手段】
【０００６】
本発明によるカーテンレールは、カーテンを吊るすランナーが走行する第１のレール溝を有する第１のレール部と、上記第１のレール部に固定されており、洗濯物を干すための物干部と、を備えることを特徴とする。
【０００７】
このカーテンレールにおいては、第１のレール部と共に、洗濯物を干すための物干部が設けられている。このように洗濯物を干すための構造が設けられているため、かかる構造が設けられていない従来のカーテンレールに比して、洗濯物を干しやすくなる。
【発明の効果】
【０００８】
本発明によれば、洗濯物を干すのに適した構造のカーテンレールが実現される。
【図面の簡単な説明】
【０００９】
【図１】本発明によるカーテンレールの第１実施形態を示す断面図である。
【図２】図１のカーテンレールを示す平面図である。
【図３】レール部１０にランナー３０が取り付けられた状態を示す断面図である。
【図４】物干部２０にハンガー９２が掛けられた状態を示す正面図である。
【図５】本発明によるカーテンレールの第２実施形態を示す断面図である。
【図６】図５のカーテンレールを示す正面図である。
【図７】図５における物干部２０を示す拡大図である。
【図８】本発明によるカーテンレールの第３実施形態を示す断面図である。
【図９】図８のカーテンレールを示す正面図である。
【図１０】物干部２０の一変形例を説明するための断面図である。
【図１１】物干部２０の他の変形例を説明するための正面図である。
【図１２】物干部２０の他の変形例を説明するための正面図である。
【図１３】物干部２０の他の変形例を説明するための正面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明によるカーテンレールの第１実施形態を示す断面図である。また、図２は、図１のカーテンレールを示す平面図である。図１は、図２のI−I線に沿った断面を示している。カーテンレール１は、レール部１０（第１のレール部）、及び物干部２０を備えている。
【００１２】
レール部１０は、カーテンを吊るすランナーが走行するレール溝１２（第１のレール溝）を有している。レール溝１２は、レール部１０の底部に設けられている。詳細には、レール部１０は、当該レール部１０の延在方向に垂直な断面（図１に示される断面）において、底部の一部が欠落した環状をしている。この欠落した部分が、レール溝１２を構成している。レール溝１２は、レール部１０の延在方向に沿って、レール部１０の略全体にわたって設けられている。
【００１３】
図３は、レール部１０にランナー３０が取り付けられた状態を示す断面図である。ランナー３０は、括れ部３２、及び穴３４を有している。ランナー３０は、括れ部３２がレール溝１２に嵌まった状態で、レール溝１２に沿って直線運動できるとともに、レール部１０の上下方向（図３の上下方向に等しい。）に平行な軸の周りに自転運動できるように構成されている。穴３４は、カーテンフックを掛止するためのものである。
【００１４】
図１及び図２に戻って、レール部１０には、物干部２０が固定されている。物干部２０は、洗濯物を干すための部分である。物干部２０は、平面視（図２参照）で、レール部１０のレール溝１２に重ならない位置に設けられている。物干部２０は、レール部１０の手前側（室内側）に設けられている。物干部２０は、ハンガーを掛けられるフック２２（第１のフック）を有している。本実施形態においては、物干部２０の全体がフック２２を構成している。フック２２は、その根元２２ａにおいてレール部１０に接続されている。フック２２の先端２２ｂは、上を向いている。フック２２の根元２２ａ及び先端２２ｂは、図１からわかるように、レール部１０の延在方向に垂直な同一平面内に存在している。
【００１５】
カーテンレール１は、複数（具体的には３つ）の物干部２０を備えている。これらの物干部２０は、レール部１０の延在方向に沿って相異なる位置に設けられている。複数の物干部２０の全てが同一の形状及び大きさを有していてもよいし、複数の物干部２０のうち少なくとも２つが相異なる形状又は大きさを有していてもよい。
【００１６】
レール部１０及び物干部２０の材料としては、例えば、金属、樹脂、木材等を用いることができる。レール部１０の材料と物干部２０の材料とは、同一であってもよいし、相異なっていてもよい。レール部１０と物干部２０とは、一体成形されていることが好ましい。
【００１７】
カーテンレール１の効果を説明する。カーテンレール１においては、レール部１０と共に、洗濯物を干すための物干部２０が設けられている。このように洗濯物を干すための構造が設けられているため、かかる構造が設けられていない従来のカーテンレールに比して、洗濯物を干しやすくなる。したがって、洗濯物を干すのに適した構造のカーテンレール１が実現されている。
【００１８】
カーテンレール１が設置された室内においては、洗濯物を吊るしたハンガーを物干部２０に掛けることにより、窓際で洗濯物を効率良く乾かすことができる。かかるカーテンレール１は、外に洗濯物を干せない高層マンションやホテル等において特に有用である。
【００１９】
また、洗濯物を干すのに特化した物干部２０がカーテンレール１に予め設けられていることにより、洗濯物を干すためのアタッチメント等を別途用意することなく、カーテンレール１を用いて容易に洗濯物を干すことができる。
【００２０】
レール部１０と物干部２０とが一体成形されている場合、これらを別々に成形する場合に比して、カーテンレール１の製造コストを低く抑えることができる。  
【００２１】
物干部２０は、平面視で、レール部１０のレール溝１２に重ならない位置に設けられている。これにより、カーテンが吊るされる領域（レール溝１２の下方）と洗濯物が吊るされる領域（物干部２０の下方）とを分けることができる。このため、洗濯物がカーテンに過度に干渉するのを防ぐことができる。
【００２２】
物干部２０は、レール部１０の手前側に設けられている。これにより、窓と洗濯物との間には、カーテンが介在することになる。このため、カーテンを閉めることにより、窓の外から洗濯物が見えないようにすることができる。
【００２３】
物干部２０は、ハンガーを掛けられるフック２２を有している。これにより、簡易な構造で、洗濯物を干すための物干部２０を実現することができる。
【００２４】
フック２２の根元２２ａ及び先端２２ｂは、レール部１０の延在方向に垂直な同一平面内に存在している。この場合、図４に示すように、物干部２０（フック２２）にハンガー９２を掛けたとき、ハンガー９２に吊るされた洗濯物９４が、レール部１０の延在方向（同図の左右方向）に広がることになる。このことも、洗濯物とカーテンとの過度な干渉を防ぐのに有利である。
【００２５】
カーテンレール１は、レール部１０の延在方向に沿って相異なる位置に設けられた複数の物干部２０を備えている。これにより、複数の箇所において同時に洗濯物を干すことが可能となる。
（第２実施形態）
【００２６】
図５は、本発明によるカーテンレールの第２実施形態を示す断面図である。また、図６は、図５のカーテンレールを示す正面図である。図５は、図６のV−V線に沿った断面を示している。カーテンレール２は、レール部１０及び物干部２０に加えて、レール部４０（第２のレール部）を備えている。レール部１０の構成は、第１実施形態で説明したとおりである。
【００２７】
レール部４０の構成は、レール部１０の構成と同様である。すなわち、レール部４０は、カーテンを吊るすランナーが走行するレール溝４２（第２のレール溝）を有している。レール溝４２は、レール部４０の底部に設けられている。詳細には、レール部４０は、当該レール部４０の延在方向に垂直な断面（図５に示される断面）において、底部の一部が欠落した環状をしている。この欠落した部分が、レール溝４２を構成している。レール溝４２は、レール部４０の延在方向に沿って、レール部４０の略全体にわたって設けられている。レール部４０は、レール部１０と平行に延びている。レール部４０の材料としても、例えば、金属、樹脂、木材等を用いることができる。
【００２８】
レール部１０及びレール部４０には、物干部２０が固定されている。物干部２０は、洗濯物を干すための部分である。物干部２０は、平面視で、レール部１０のレール溝１２及びレール部４０のレール溝４２の何れにも重ならない位置に設けられている。具体的には、物干部２０は、平面視で、レール部１０のレール溝１２とレール部４０のレール溝４２との間に設けられている。物干部２０は、レール部１０とレール部４０との境界部分から垂下している。
【００２９】
図７は、図５における物干部２０を示す拡大図である。物干部２０は、支柱部２４、フック２５（第１のフック）、及びフック２６（第２のフック）を有している。支柱部２４は、レール部１０とレール部４０との境界部分に直接接続されている。フック２５及びフック２６は、支柱部２４を挟んで互いに反対側に設けられている。これらの支柱部２４、フック２５及びフック２６は、一体に設けられている。
【００３０】
フック２５は、その根元２５ａにおいて支柱部２４に接続されている。フック２５の先端２５ｂは、上を向いている。フック２５の根元２５ａ及び先端２５ｂは、レール部１０及びレール部４０の延在方向に垂直な同一平面内に存在している。同様に、フック２６は、その根元２６ａにおいて支柱部２４に接続されている。フック２６の先端２６ｂは、上を向いている。フック２６の根元２６ａ及び先端２６ｂは、レール部１０及びレール部４０の延在方向に垂直な同一平面内に存在している。レール部１０、レール部４０及び物干部２０は、一体成形されていることが好ましい。
【００３１】
カーテンレール２は、複数（具体的には３つ）の物干部２０を備えている。これらの物干部２０は、レール部１０及びレール部４０の延在方向に沿って相異なる位置に設けられている。複数の物干部２０の全てが同一の形状及び大きさを有していてもよいし、複数の物干部２０のうち少なくとも２つが相異なる形状又は大きさを有していてもよい。
【００３２】
カーテンレール２の効果を説明する。カーテンレール２においては、レール部１０，４０と共に、洗濯物を干すための物干部２０が設けられている。このように洗濯物を干すための構造が設けられているため、かかる構造が設けられていない従来のカーテンレールに比して、洗濯物を干しやすくなる。したがって、洗濯物を干すのに適した構造のカーテンレール２が実現されている。
【００３３】
本実施形態においては、レール部１０に加えてレール部４０が設けられている。これにより、カーテンを二重に取り付けることが可能となる。
【００３４】
レール部１０とレール部４０とが一体成形されている場合、これらを別々に成形する場合に比して、カーテンレール２の製造コストを低く抑えることができる。特にレール部１０，４０と物干部２０とも一体成形されている場合、これらを別々に成形する場合に比して、カーテンレール２の製造コストを一層低く抑えることができる。
【００３５】
物干部２０は、平面視で、レール部４０のレール溝４２に重ならない位置に設けられている。このため、レール部４０に吊るされたカーテンに洗濯物が過度に干渉するのを防ぐことができる。
【００３６】
物干部２０は、平面視で、レール部１０のレール溝１２とレール部４０のレール溝４２との間に設けられている。これにより、レール部１０に吊るされたカーテンとレール部４０に吊るされたカーテンとの間の空間に、洗濯物を干すことができる。このため、２枚のカーテンを閉めることにより、窓の外からだけでなく室内からも洗濯物が見えないようにすることができる。
【００３７】
物干部２０は、フック２５に加えてフック２６を有している。この場合、フック２６が設けられていない場合に比して、１つの物干部２０に多くの洗濯物を干すことができる。
【００３８】
フック２５の根元２５ａ及び先端２５ｂは、レール部１０及びレール部４０の延在方向に垂直な同一平面内に存在している。この場合、フック２５にハンガーを掛けたとき、当該ハンガーに吊るされた洗濯物が、レール部１０及びレール部４０の延在方向に広がることになる。このことも、洗濯物とカーテンとの過度な干渉を防ぐのに有利である。
【００３９】
フック２６の根元２６ａ及び先端２６ｂは、レール部１０及びレール部４０の延在方向に垂直な同一平面内に存在している。この場合、フック２６にハンガーを掛けたとき、当該ハンガーに吊るされた洗濯物が、レール部１０及びレール部４０の延在方向に広がることになる。このことも、洗濯物とカーテンとの過度な干渉を防ぐのに有利である。カーテンレール２のその他の効果は、カーテンレール１と同様である。
（第３実施形態）
【００４０】
図８は、本発明によるカーテンレールの第３実施形態を示す断面図である。また、図９は、図８のカーテンレールを示す正面図である。図８は、図９のVIII−VIII線に沿った断面を示している。カーテンレール３は、レール部１０，４０及び物干部２０に加えて、連結部材５０を備えている。レール部１０及びレール部４０の構成は、第１及び第２実施形態で説明したとおりである。ただし、本実施形態においてレール部１０とレール部４０とは、互いに離間している。
【００４１】
連結部材５０は、レール部１０とレール部４０とを連結している。連結部材５０は、レール部１０及びレール部４０を跨るように設けられており、レール部１０及びレール部４０の双方に固定されている。カーテンレール３には、複数（具体的には３つ）の連結部材５０が設けられている。これらの連結部材５０は、レール部１０及びレール部４０の延在方向に沿って相異なる位置に設けられている。連結部材５０の材料としても、例えば、金属、樹脂、木材等を用いることができる。
【００４２】
レール部１０及びレール部４０には、物干部２０が固定されている。物干部２０は、連結部材５０を介してレール部１０及びレール部４０に固定されている。物干部２０は、洗濯物を干すための部分である。物干部２０は、平面視で、レール部１０のレール溝１２及びレール部４０のレール溝４２の何れにも重ならない位置に設けられている。具体的には、物干部２０は、平面視で、レール部１０のレール溝１２とレール部４０のレール溝４２との間に設けられている。本実施形態において物干部２０は、連結部材５０から垂下している。物干部２０は、レール部１０及びレール部４０よりも低い位置まで達している。物干部２０と連結部材５０とは、一体成形されていることが好ましい。物干部２０のその他の構成は、第２実施形態で説明したとおりである。
【００４３】
カーテンレール３の効果を説明する。カーテンレール３においては、レール部１０，４０と共に、洗濯物を干すための物干部２０が設けられている。このように洗濯物を干すための構造が設けられているため、かかる構造が設けられていない従来のカーテンレールに比して、洗濯物を干しやすくなる。したがって、洗濯物を干すのに適した構造のカーテンレール３が実現されている。
【００４４】
本実施形態においては、レール部１０とレール部４０とが互いに離間している。これにより、カーテンレール３を設置する際、レール部１０とレール部４０との間隔をある程度自由に設定することができる。
【００４５】
レール部１０とレール部４０とを連結する連結部材５０が設けられている。これにより、レール部１０とレール部４０とが所定の間隔をおいて互いに平行に延在した状態を確実に維持しやすくなる。
【００４６】
カーテンレール３は、レール部１０及びレール部４０の延在方向に沿って相異なる位置に設けられた複数の連結部材５０を備えている。これにより、レール部１０とレール部４０とが所定の間隔をおいて互いに平行に延在した状態を一層確実に維持することができる。
【００４７】
物干部２０は、連結部材５０から垂下している。これにより、物干部２０が平面視でレール溝１２とレール溝４２との間に設けられた構成を容易に実現することができる。また、このように物干部２０を連結部材５０に接続することにより、レール部１０及びレール部４０として既存のレール（洗濯物を干すための構造が設けられていないもの）を用いつつ、洗濯物を干すのに適した構造のカーテンレール３を実現することができる。
【００４８】
物干部２０と連結部材５０とが一体成形されている場合、これらを別々に成形する場合に比して、カーテンレール３の製造コストを低く抑えることができる。カーテンレール３のその他の効果は、カーテンレール１，２と同様である。
【００４９】
本発明は、上記実施形態に限定されるものではなく、様々な変形が可能である。上記実施形態において物干部２０は、図１０に示すように、物干し用の棒又は紐を通せる孔２８を有していてもよい。孔２８は、物干部２０において、フックに代えて設けられてもよいし、フックと共に設けられてもよい。孔２８の深さ方向（図１０の紙面に垂直な方向）は、レール部１０の延在方向に一致している。かかる孔２８を有する物干部２０は、レール部１０の延在方向に沿って相異なる位置に複数設けられることが好ましい。
【００５０】
このように物干部２０が孔２８を有する場合も、簡易な構造で、洗濯物を干すための物干部２０を実現することができる。また、孔２８の深さ方向をレール部１０の延在方向に一致させることにより、物干し用の棒又は紐を上記延在方向と平行に設置することができる。この場合、当該棒又は紐に吊るされた洗濯物は、レール部１０の延在方向に広がることになる。このことは、洗濯物とカーテンとの過度な干渉を防ぐのに有利である。さらに、レール部１０の延在方向に沿って相異なる位置に複数の物干部２０が設けられている場合、物干し用の棒又は紐を複数箇所で支持することができるため、当該棒又は紐を安定させやすくなる。
【００５１】
上記実施形態において物干部２０は、図１１に示すように、紐収納部２０ａ（第１の紐収納部）、紐収納部２０ｂ（第２の紐収納部）、及び紐受部２０ｃを含んでいてもよい。同図は、第２実施形態（図６参照）において紐収納部２０ａ，２０ｂ及び紐受部２０ｃを含む物干部２０を採用した例を示している。
【００５２】
紐収納部２０ａは、物干し用の紐２９ａ（第１の紐）の一端を固定するとともに紐２９ａを収納可能である。紐収納部２０ｂは、物干し用の紐２９ｂ（第２の紐）の一端を固定するとともに紐２９ｂを収納可能である。紐２９ａ及び紐２９ｂは、図１２に示すように、それぞれ紐収納部２０ａ及び紐収納部２０ｂから引き出すことができる。紐収納部２０ａは、紐収納部２０ａから引き出された紐２９ａを自動的に巻き取る機構を有している。同様に、紐収納部２０ｂは、紐収納部２０ｂから引き出された紐２９ｂを自動的に巻き取る機構を有している。かかる機構は、例えば各紐収納部２０ａ，２０ｂにゼンマイバネを内蔵させることにより、実現することができる。
【００５３】
紐受部２０ｃは、図１３に示すように、紐収納部２０ａから引き出された紐２９ａの他端、及び紐収納部２０ｂから引き出された紐２９ｂの他端を固定する。紐受部２０ｃは、各紐２９ａ，２９ｂの他端を掛止できるように構成されている。紐受部２０ｃは、紐収納部２０ａ及び紐収納部２０ｂの双方と離間している。紐収納部２０ａと紐受部２０ｃとは、レール部１０の延在方向に沿って相異なる位置に設けられている。紐収納部２０ｂと紐受部２０ｃとも、レール部１０の延在方向に沿って相異なる位置に設けられている。本例において紐受部２０ｃは、紐収納部２０ａと紐収納部２０ｂとの間に設けられている。なお、各紐収納部２０ａ，２０ｂには、上述のフック及び／又は孔が設けられていてもよい。同様に、紐受部２０ｃにも、上述のフック及び／又は孔が設けられていてもよい。
【００５４】
このように物干部２０が紐収納部２０ａ及び紐受部２０ｃを含む場合、必要に応じて紐収納部２０ａと紐受部２０ｃとの間に紐２９ａを張ることができるとともに、必要がないときは紐２９ａを紐収納部２０ａ内に収納させることができる。さらに、紐収納部２０ｂを含むことにより、紐収納部２０ｂと紐受部２０ｃとの間に紐２９ｂを張ることもできる。また、紐収納部２０ａが紐２９ａを自動的に巻き取る機構を有することにより、紐収納部２０ａから引き出された紐２９ａを紐収納部２０ａ内に容易に戻すことができる。同様に、紐収納部２０ｂが紐２９ｂを自動的に巻き取る機構を有することにより、紐収納部２０ｂから引き出された紐２９ｂを紐収納部２０ｂ内に容易に戻すことができる。
【符号の説明】
【００５５】
１  カーテンレール
２  カーテンレール
３  カーテンレール
１０  レール部（第１のレール部）
１２  レール溝（第１のレール溝）
２０  物干部
２０ａ  紐収納部（第１の紐収納部）
２０ｂ  紐収納部（第２の紐収納部）
２０ｃ  紐受部
２２  フック（第１のフック）
２４  支柱部
２５  フック（第１のフック）
２６  フック（第２のフック）
２８  孔
２９ａ  紐（第１の紐）
２９ｂ  紐（第２の紐）
３０  ランナー
３２  括れ部
３４  穴
４０  レール部（第２のレール部）
４２  レール溝（第２のレール溝）
５０  連結部材
９２  ハンガー
９４  洗濯物
【図１】
0006495350.tif 000002
【図２】
0006495350.tif 000003
【図３】
0006495350.tif 000004
【図４】
0006495350.tif 000005
【図５】
0006495350.tif 000006
【図６】
0006495350.tif 000007
【図７】
0006495350.tif 000008
【図８】
0006495350.tif 000009
【図９】
0006495350.tif 000010
【図１０】
0006495350.tif 000011
【図１１】
0006495350.tif 000012
【図１２】
0006495350.tif 000013
【図１３】
0006495350.tif 000014